(57)【要約】【課題】画像とＯＳＤ情報とを同時に表示することができるとともに、ＯＳＤ情報によって画像が見にくくなるのを極力抑制できるようにする。【解決手段】液晶モニタに画像とともに、オンスクリーンディスプレイ情報（ＯＳＤ情報）を表示する。ＯＳＤ情報を表示する際に、表示する画像から人物の顔を認識し、該顔の表示エリアを検知する。そして、顔の表示エリアとＯＳＤ情報の表示位置とが重なる場合（図５（Ａ））には、そのＯＳＤ情報が顔の表示エリアと重ならないようにＯＳＤ情報の表示位置を移動させる（図５（Ｂ））。これにより、少なくともＯＳＤ情報によって顔が見えなくなることがなくなり、ＯＳＤ情報の表示によって画像が見にくくなる不具合を解消するようにしている。【選択図】  図５
2007199311.tif 000002
【特許請求の範囲】
【請求項１】
画像信号を入力する画像入力手段と、
前記画像信号に関連したオンスクリーンディスプレイ情報（ＯＳＤ情報）を生成するＯＳＤ情報生成手段と、
前記画像信号と前記ＯＳＤ情報とを混合して画像とともにＯＳＤ情報を表示する表示手段と、
前記画像信号から人物の顔を認識する顔認識手段と、
前記認識された顔の表示エリアと重ならないように前記表示手段に表示させるＯＳＤ情報の表示位置を制御するＯＳＤ情報表示制御手段と、
を備えたことを特徴とする画像表示装置。
【請求項２】
前記ＯＳＤ情報は、通常表示される標準の表示位置を有し、前記認識された顔の表示エリアと前記ＯＳＤ情報が表示される標準の表示位置とが重複するか否かを検出する検出手段を更に備え、
前記ＯＳＤ情報表示制御手段は、前記顔の表示エリアと前記ＯＳＤ情報の表示位置との重複が検出されると、前記ＯＳＤ情報を前記顔の表示エリア以外に移動させることを特徴とする請求項１に記載の画像表示装置。
【請求項３】
前記ＯＳＤ情報が通常表示される標準の表示位置以外に該ＯＳＤ情報の表示が可能な予備の表示位置を有し、
前記ＯＳＤ情報表示制御手段は、前記ＯＳＤ情報を前記予備の表示位置に移動させることを特徴とする請求項２に記載の画像表示装置。
【請求項４】
画像信号を入力する画像入力手段と、
前記画像信号に関連したオンスクリーンディスプレイ情報（ＯＳＤ情報）を生成するＯＳＤ情報生成手段と、
前記画像信号と前記ＯＳＤ情報とを混合して画像とともにＯＳＤ情報を表示する表示手段と、
前記画像信号から人物の顔を認識する顔認識手段と、
前記認識された顔の表示エリアと前記ＯＳＤ情報の表示位置とが重複するか否かを検出する検出手段と、
前記顔の表示エリアと前記ＯＳＤ情報の表示位置との重複が検出されると、前記表示位置が重複したＯＳＤ情報のみを半透明で表示させるＯＳＤ情報表示制御手段と、
を備えたことを特徴とする画像表示装置。
【請求項５】
請求項１乃至４のいずれかに記載の画像表示装置を備えたことを特徴とする撮像装置。
【請求項６】
撮影モード又は再生モードを選択するモード選択手段と、前記ＯＳＤ情報の表示の有無を選択する表示選択手段とを有し、
前記表示手段は、前記ＯＳＤ情報の表示が選択されると、撮影モード時にスルー画像とともにＯＳＤ情報を表示し、再生モード時に再生した画像とともにＯＳＤ情報を表示することを特徴とする請求項５に記載の撮像装置。
2007199311.tif 000003
【発明の詳細な説明】
【技術分野】
【０００１】
本発明は画像表示装置及び撮像装置に係り、特に画像とともにその画像に関連するオンスクリーンディスプレイ情報（ＯＳＤ情報）を表示する技術に関する。
【背景技術】
【０００２】
従来の撮像装置（デジタルカメラ）は、撮影モード時には図７に示すように液晶モニタにスルー画像とともに撮影画像等に関する各種のＯＳＤ情報を表示し、再生モード時には図８に示すように再生画像とともに、再生画像等に関する各種のＯＳＤ情報を表示することができるようになっている。
【０００３】
また、液晶モニタにＯＳＤ情報が表示されると、画像が見にくくなるため、従来のデジタルカメラには、「ＯＳＤ情報の表示あり」、「ＯＳＤ情報の表示なし」を切り替えるための切替ボタンが設けられている。
【０００４】
特許文献１には、画像を表示する液晶モニタとは別に各種の情報を表示するコントロールパネルを有するデジタルカメラが開示されている。このデジタルカメラは、モニタ切替ボタンを有し、液晶モニタにスルー画像が表示されている状態でモニタ切替ボタンが操作されると、スルー画像に代えて前記コントロールパネルに表示された情報をＯＳＤ情報として表示し、液晶モニタにＯＳＤ情報が表示されている状態でモニタ切替ボタンが操作されると、ＯＳＤ情報に代えてスルー画像を表示することができるようになっている。
【０００５】
一方、画像から被写体情報（顔）を認識する顔認識機能を備え、その認識結果に基づいて焦点調節や露出制御を行うようにした被写体認識機能付きカメラが提案されている（特許文献２）。
【特許文献１】特開２００４−４０２５４号公報
【特許文献２】特開２００１−３３０８８２号公報
【発明の開示】
【発明が解決しようとする課題】
【０００６】
従来のデジタルカメラにおいて、液晶モニタに画像とともにＯＳＤ情報が表示されると、ＯＳＤ情報によって画像が見にくくなり、その都度、切替ボタンを操作して「ＯＳＤ情報の表示なし」に切り替えるのは煩雑であるという問題がある。
【０００７】
また、特許文献１に記載のように、主として画像を表示する液晶モニタとは別に、情報を表示するコントロールパネルを設ける場合には、コントロールパネルの設置場所を確保する必要があるとともに、コストアップになるという問題がある。また、モニタ切替ボタンを操作して画像とＯＳＤ情報とを切り替えて液晶モニタに表示する場合には、画像とＯＳＤ情報とを同時に見たいという要求に応えることができない。
【０００８】
本発明はこのような事情に鑑みてなされたもので、画像とＯＳＤ情報とを同時に表示することができるとともに、ＯＳＤ情報によって画像が見にくくなるのを極力抑制することができる画像表示装置及び撮像装置を提供することを目的とする。
【課題を解決するための手段】
【０００９】
前記目的を達成するために請求項１に係る画像表示装置は、画像信号を入力する画像入力手段と、前記画像信号に関連したオンスクリーンディスプレイ情報（ＯＳＤ情報）を生成するＯＳＤ情報生成手段と、前記画像信号と前記ＯＳＤ情報とを混合して画像とともにＯＳＤ情報を表示する表示手段と、前記画像信号から人物の顔を認識する顔認識手段と、前記認識された顔の表示エリアと重ならないように前記表示手段に表示させるＯＳＤ情報の表示位置を制御するＯＳＤ情報表示制御手段と、を備えたことを特徴としている。
【００１０】
これにより、画像とＯＳＤ情報とを同時に表示することができるとともに、少なくともＯＳＤ情報によって顔が見えなくなることがなくなり、ＯＳＤ情報の表示によって画像が見にくくなる不具合を極力抑制することができる。
【００１１】
請求項２に示すように請求項１に記載の像表示装置において、前記ＯＳＤ情報は、通常表示される標準の表示位置を有し、前記認識された顔の表示エリアと前記ＯＳＤ情報が表示される標準の表示位置とが重複するか否かを検出する検出手段を更に備え、前記ＯＳＤ情報表示制御手段は、前記顔の表示エリアと前記ＯＳＤ情報の表示位置との重複が検出されると、前記ＯＳＤ情報を前記顔の表示エリア以外に移動させることを特徴としている。
【００１２】
即ち、ＯＳＤ情報は、予め設定されている標準の表示位置に表示されるが、この標準の表示位置に表示されるＯＳＤ情報が、前記検出された顔の表示エリアと重なる場合には、ＯＳＤ情報の表示位置を顔の表示エリア以外に移動させるようにしている。
【００１３】
請求項３に示すように請求項２に記載の画像表示装置において、前記ＯＳＤ情報が通常表示される標準の表示位置以外に該ＯＳＤ情報の表示が可能な予備の表示位置を有し、前記ＯＳＤ情報表示制御手段は、前記ＯＳＤ情報を前記予備の表示位置に移動させることを特徴している。
【００１４】
請求項４に係る画像表示装置は、画像信号を入力する画像入力手段と、前記画像信号に関連したオンスクリーンディスプレイ情報（ＯＳＤ情報）を生成するＯＳＤ情報生成手段と、前記画像信号と前記ＯＳＤ情報とを混合して画像とともにＯＳＤ情報を表示する表示手段と、前記画像信号から人物の顔を認識する顔認識手段と、前記認識された顔の表示エリアと前記ＯＳＤ情報の表示位置とが重複するか否かを検出する検出手段と、前記顔の表示エリアと前記ＯＳＤ情報の表示位置との重複が検出されると、前記表示位置が重複したＯＳＤ情報のみを半透明で表示させるＯＳＤ情報表示制御手段と、を備えたことを特徴としている。
【００１５】
即ち、顔の表示エリアと重なるＯＳＤ情報は、半透明に表示されるため、ＯＳＤ情報が重なっている顔を見ることができる。
【００１６】
請求項５に係る撮像装置は、請求項１乃至４のいずれかに記載の画像表示装置を備えたことを特徴としている。
【００１７】
請求項６に示すように請求項５に記載の撮像装置において、撮影モード又は再生モードを選択するモード選択手段と、前記ＯＳＤ情報の表示の有無を選択する表示選択手段とを有し、前記表示手段は、前記ＯＳＤ情報の表示が選択されると、撮影モード時にスルー画像とともにＯＳＤ情報を表示し、再生モード時に再生した画像とともにＯＳＤ情報を表示することを特徴としている。
【発明の効果】
【００１８】
本発明によれば、画像とＯＳＤ情報とを同時に表示することができるとともに、少なくとも人物の顔の表示エリア以外にＯＳＤ情報を表示し、又は顔の表示エリアに位置するＯＳＤ情報を半透明に表示するようにしたため、ＯＳＤ情報によって画像が見にくくなるのを極力抑制することができる。
【発明を実施するための最良の形態】
【００１９】
以下、添付図面に従って本発明に係る画像表示装置及び撮像装置の好ましい実施の形態について説明する。
【００２０】
図１は本発明に係る撮像装置を斜め後方から見た斜視図である。この撮像装置１０は、静止画や動画の記録及び再生機能を備えたデジタルカメラであり、上面には、電源ボタン１１、シャッターボタン１２、及びモードレバー１３が設けられている。モードレバー１３は、回転させることにより、オート撮影モード、マニュアル撮影モード、人物モード、風景モード及び夜景モード等の選択が可能なシーンポジション、及び動画撮像モードのうちのいずれかを設定できるようになっている。
【００２１】
また、モードレバー１３の中央に設けられたシャッターボタン１２は、半押し時にＯＮしてフォーカスロック、測光等の撮影準備を行わせるスイッチＳ１と、全押し時にＯＮして画像の取り込みを行わせるスイッチＳ２とを有している。
【００２２】
図１に示すように撮像装置１０の背面には、ズームボタン１４、再生ボタン１５、フォトモードボタン１６、上下左右キーからなるマルチファンクションの十字ボタン１７、メニュー／ＯＫボタン１８、表示／戻るボタン１９及び液晶モニタ２０が設けられている。
【００２３】
液晶モニタ２０は、動画（スルー画像）を表示して電子ビューファインダとして使用できるとともに、撮影した記録前の画像（プレビュー画像）やカメラに装填されたメモリカードから読み出した再生画像等を表示することができる。また、液晶モニタ２０は、カメラの動作モードやホワイトバランス、画素数等をマニュアル設定する際の各種のメニューがメニュー／ＯＫボタン１８や十字ボタン１７の操作に応じて表示される。更に、液晶モニタ２０は、図７及び図８に示すように撮影モード又は再生モードに応じて撮影時の各種の情報又は再生画像の各種の情報（以下、オンスクリーンディスプレイ情報（ＯＳＤ情報）という。）を表示する。
【００２４】
図２は図１に示した撮像装置１０の内部構成の一例を示すブロック図である。
【００２５】
同図において、メインＣＰＵ２２は、前述した電源ボタン１１、シャッターボタン１２、モードレバー１３、ズームボタン１４、再生ボタン１５、フォトモードボタン１６、十字ボタン１７、メニュー／ＯＫボタン１８、及び表示／戻るボタン１９を含む操作スイッチ２４からの入力に基づいて撮像装置１０内の各回路を統括制御する。また、メインＣＰＵ２２は、ＳＤＲＡＭ（シンクロナス・ダイナミックＲＡＭ）２６、ＲＯＭ２８、ＥＥＰＲＯＭ３０との間で必要なデータの授受が行われる。尚、ＲＯＭ２８には、カメラ制御プログラム等が記録され、ＥＥＰＲＯＭ３０には、固体撮像素子の欠陥情報等のカメラ制御に関する各種のパラメータ、データが格納されている。
【００２６】
まず、電源ボタン１１が操作されると、メインＣＰＵ２２はこれを検出し、カメラ内電源をＯＮにして撮影モードで撮影スタンバイ状態にする。
【００２７】
撮影スタンバイ状態では、通常、液晶モニタ２０には動画（スルー画像）が表示される。即ち、光学ユニット３４及び固体撮像素子（ＣＣＤ）３６を介して被写体を連続的に撮像し、得られた画像信号を連続的に処理してＹＣ信号を生成する。生成されたＹＣ信号は、混合回路５２によってキャラクタ・ジェネレータ５４から出力されるＯＳＤ情報と混合され、エンコーダ５６によって表示用の信号形式に変換されて液晶モニタ２０に出力される。これにより、液晶モニタ２０にスルー画像とともにＯＳＤ情報が表示される。尚、キャラクタ・ジェネレータ５４は、メインＣＰＵ２２からの指示にしたがって各種のＯＳＤ情報を生成し、これを混合回路５２に出力する。
【００２８】
撮影者は、液晶モニタ２０に表示されるスルー画像を見ながらフレーミングしたり、撮影したい被写体を確認したり、撮影後の画像を確認したり、撮影条件を設定したりする。
【００２９】
上記撮影スタンバイ状態時にシャッターボタン１２が押されると、メインＣＰＵ２２はこれを検知し、カメラＣＰＵ３２にコマンドを送る。カメラＣＰＵ３２は、フォーカス制御、測光、露出制御を行い、光学ユニット３４を介してＣＣＤ３６の受光面上に結像させる。ＣＣＤ３６は、受光面に結像された画像光をその光量に応じた量の信号電荷に変換する。このようにして蓄積された信号電荷は、クロック発生回路３８から加えられるリードゲートパルスによってシフトレジスタに読み出され、レジスタ転送パルスによって信号電荷に応じた電圧信号として順次読み出される。
【００３０】
ＣＣＤ３６から出力された電圧信号は、アナログ処理回路４０によって相関二重サンプリングや増幅等のアナログ処理が施された後、各画素ごとのＲ、Ｇ、Ｂ信号としてＡ／Ｄ変換器４２に加えられる。Ａ／Ｄ変換器４２は、アナログ処理回路４０から順次加えられるアナログのＲ、Ｇ、Ｂ信号をそれぞれデジタルのＲ、Ｇ、Ｂ信号に変換する。これらのＲ、Ｇ、Ｂ信号は、一旦ＳＤＲＡＭ２６に格納される。
【００３１】
画像信号処理回路４４は、上記ＳＤＲＡＭ２６に格納されたＲ、Ｇ、Ｂの生データを読み出し、これらに光源種に応じたデジタルゲインをかけることでホワイトバランス調整を行うとともに、ガンマ（階調特性）処理及びシャープネス処理を行ってＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＳＤＲＡＭ２６に格納する。
【００３２】
上記のようにしてＳＤＲＡＭ２６に格納されたＹＣ信号は、圧縮・伸長回路４６によって所定のフォーマットに圧縮されたのち、インターフェース回路４８を介してメモリカード５０に記録される。
【００３３】
一方、再生ボタン１５を操作して再生モードが選択されると、メモリカード５０に記録されている最終コマの画像ファイルがインターフェース回路４８を介して読み出される。この読み出された画像ファイルの圧縮データは、圧縮・伸長回路４６を介して非圧縮のＹＣ信号に伸長される。
【００３４】
伸長されたＹＣ信号は、混合回路５２によってキャラクタ・ジェネレータ５４から出力されるＯＳＤ情報と混合され、エンコーダ５６によって表示用の信号形式に変換されて液晶モニタ２０に出力される。これにより、液晶モニタ２０にはメモリカード５０に記録されている最終コマの画像とともにＯＳＤ情報が表示される。
【００３５】
その後、順コマ送りスイッチ（十字ボタン１７の右キー）が押されると、順方向にコマ送りされ、逆コマ送りスイッチ（十字キー１７の左キー）が押されると、逆方向にコマ送りされる。そして、コマ送りされたコマ位置の画像ファイルがメモリカード５０から読み出され、上記と同様にして画像及びＯＳＤ情報が液晶モニタ２０に再生される。
【００３６】
上記撮影モード及び再生モード時において、液晶モニタ２０にＯＳＤ情報が表示されているときに表示／戻るボタン１９を押すと、スルー画像又は再生画像のみを表示し、ＯＳＤ情報を表示しないように表示切り替えが行われる。
【００３７】
顔認識回路５８は、スルー画像、又は記録された画像から被写体の顔、目、鼻、口等を検出し、それらの特徴点、パターンを識別することにより被写体の顔を認識する。顔検出・認識の具体的な方法は、エッジ検出又は形状パターン検出による顔検出方法、色相抽出又は肌色抽出による顔検出方法等の公知の方法を利用することができる。顔認識回路５８は、人物の顔を認識すると、その顔の表示エリアを示す情報をメインＣＰＵ２２に通知する。
【００３８】
メインＣＰＵ２２は、顔認識回路５８から顔の表示エリアを示す情報を受け取ると、ＯＳＤ情報の表示エリアが顔の表示エリアと重複するか否かを判別し、重複する場合にはＯＳＤ情報の表示位置を移動させる。
【００３９】
次に、上記撮像装置１０のＯＳＤ情報を表示する際の作用について詳述する。
【００４０】
図３はメインＣＰＵ２２のＯＳＤ情報の表示時の処理手順を示すフローチャートである。同図に示すように、メインＣＰＵ２２は、液晶モニタ２０の表示が、画像とともにＯＳＤ情報を表示する「文字表示あり」の状態か否かを判別する（ステップＳ１０）。「文字表示あり」の場合には、ステップＳ１２に進み、「文字表示なし」の場合には、終了する。尚、液晶モニタ２０の表示形態（「文字表示あり」又は「文字表示なし」）の切り替えは、前述したように表示／戻るボタン１９によって行うことができる。
【００４１】
ステップＳ１２では、メインＣＰＵ２２は、顔認識回路５８に顔認識処理を実行させる。顔認識回路５８は、液晶モニタ２０に表示する画像（スルー画像、又は再生画像）を使用して顔を認識し、その顔の表示エリアを示す情報をメインＣＰＵ２２に渡す。尚、画像中に顔画像がない場合には、その旨を通知する。
【００４２】
続いて、メインＣＰＵ２２は、液晶モニタに表示される画像の顔の表示エリアと、ＯＳＤ情報の表示位置とが重複するか否かを判別する（ステップＳ１４）。そして、顔の表示エリアとＯＳＤ情報の表示位置とが重なる場合には、ステップＳ１６に進み、重ならない場合には、終了する。
【００４３】
ステップＳ１６では、顔の表示エリアと重なっているＯＳＤ情報を、他の表示位置に移動させる。ここで、撮影モード又は再生モード時に表示されるＯＳＤ情報は、通常、図７及び図８に示すように標準の表示位置に表示されるようになっている。
【００４４】
いま、図４（Ａ）の斜線で示すように顔の表示エリアが検出された場合、この顔の表示エリアには、撮影感度を示す「ＩＳＯ  １００」のＯＳＤ情報が重なる。この場合には、図４（Ｂ）に示すように「ＩＳＯ  １００」の表示位置を移動させる。
【００４５】
ここで、ＯＳＤ情報の移動が可能な表示エリアとしては、例えば、図４（Ａ）の点線で示す表示エリアＡ〜Ｄが予め用意されている。また、これらの表示エリアＡ〜Ｄは、優先順位が付けられており、Ａ→Ｂ→Ｃ→Ｄの順に優先順位が低くなる。そして、これらの表示エリアＡ〜Ｄが、顔の表示エリアと重なっているか否かを検知し、顔の表示エリアと重なっていない表示エリアのうちの優先順位の最も高い表示エリアにＯＳＤ情報の表示位置を移動させる。図４（Ｂ）に示す例では、表示エリアＡに「ＩＳＯ  １００」の表示位置を移動させている。
【００４６】
図５は再生モード時の液晶モニタでのＯＳＤ情報の表示形態を示している。再生モード時に表示されるＯＳＤ情報は、再生される画像の画像ファイルのヘッダー情報が含まれている。
【００４７】
いま、再生画像から図５（Ａ）の斜線で示すように顔の表示エリアが検出された場合、この顔の表示エリアには、撮影感度を示す「ＩＳＯ  ８０」、露出補正を示すアイコンと「−１ ２／３」、及びホワイトバランス（光源選択）を示す「ＷＢ」と光源種を示すアイコンが重なる。この場合には、図５（Ｂ）に示すように上記表示が重なったＯＳＤ情報の表示位置を移動させる。尚、図５（Ａ）に示した表示エリアＡは、顔の表示エリアと重複するため、図５（Ｂ）では、次に優先順位の高い表示エリアＢに前記表示が重なったＯＳＤ情報が移動させられている。
【００４８】
尚、撮影モード時には、スルー画像（顔の表示エリア）が時々刻々変化するため、上記ステップＳ１０〜ステップＳ１６の処理は、所定のインターバルで繰り返し行う。一方、再生モード時には、新たなコマ画像を表示するごとに、上記ステップＳ１０〜ステップＳ１６の処理を１回実行する。
【００４９】
また、顔の表示エリアと重なっているＯＳＤ情報が多く、一方、ＯＳＤ情報の移動が可能な表示エリアが小さく、全てのＯＳＤ情報を移動させることができない場合には、移動させるＯＳＤ情報のフォントサイズを小さくして表示させる。
【００５０】
図６は液晶モニタでのＯＳＤ情報の他の表示例を示している。同図に示すように、この実施の形態では、顔の表示エリアとＯＳＤ情報の表示位置との重複が検出されると、その重複したＯＳＤ情報のみを半透明で表示させるようにしている。
【００５１】
即ち、図２に示した混合回路５２にて画像データとＯＳＤ情報とを混合する際に、ＯＳＤ情報の輝度レベルを下げて画像データと加算する。例えば、輝度レベル０〜２５５のうち、輝度レベルを０とすると、ＯＳＤ情報は完全な透明となり、輝度レベルを２５５とすると、不透明となるが、ＯＳＤ情報の輝度レベルを０と２５５の間の輝度レベルにする。これにより、顔の表示エリアと重なるＯＳＤ情報が半透明で表示され、このＯＳＤ情報と重なっている顔の画像も視認することができる。
【００５２】
尚、この実施の形態では、撮像装置１０の液晶モニタ２０にＯＳＤ情報を表示させる場合について説明したが、これに限らず、本発明は、カメラ付き携帯電話のモニタや、携帯情報端末（ＰＤＡ）等のモニタに画像とともにＯＳＤ情報を表示する場合にも適用できる。
【図面の簡単な説明】
【００５３】
【図１】図１は本発明に係る撮像装置を斜め後方から見た斜視図である。
【図２】図２は図１に示した撮像装置の内部構成の一例を示すブロック図である。
【図３】図３は図１に示した撮像装置のメインＣＰＵのＯＳＤ情報の表示時の処理手順を示すフローチャートである。
【図４】図４は撮影モード時の液晶モニタでのＯＳＤ情報の表示例を説明するために用いた図である。
【図５】図５は再生モード時の液晶モニタでのＯＳＤ情報の表示例を説明するために用いた図である。
【図６】図６は液晶モニタでのＯＳＤ情報の他の表示例を説明するために用いた図である。
【図７】図７は撮影モード時に各種のＯＳＤ情報が表示されている液晶モニタの画面を示す図である。
【図８】図７は再生モード時に各種のＯＳＤ情報が表示されている液晶モニタの画面を示す図である。
【符号の説明】
【００５４】
１０…撮像装置、１２…シャッターボタン、１３…モードレバー、１５…再生ボタン、１９…表示／戻るボタン、２０…液晶モニタ、２２…メインＣＰＵ、２４…操作スイッチ、３２…カメラＣＰＵ、３４…光学ユニット、３６…ＣＣＤ、４４…画像信号処理回路、４６…圧縮・伸長回路、５０…メモリカード、５２…混合回路、５４…キャラクタ・ジェネレータ、５８…顔認識回路
【図１】
2007199311.tif 000004
【図２】
2007199311.tif 000005
【図３】
2007199311.tif 000006
【図４】
2007199311.tif 000007
【図５】
2007199311.tif 000008
【図６】
2007199311.tif 000009
【図７】
2007199311.tif 000010
【図８】
2007199311.tif 000011